(57)【要約】      （修正有）【課題】衿カバー付き掛け布団カバーであり、特に掛け布団の内側に掛けた内掛け毛布などが掛け布団からずれないようにした衿カバー付き布団カバーを提供する。【解決手段】掛け布団カバー１の衿の部分を表裏の両面からくるむように長方形の布地からなる衿カバー２を付け、掛け布団カバー１の裏側と長方形をした布地の一方の端縁には互いに噛み合うオープンファスナーを取り付けて結ぶようにする。また、布地を２枚にし、上側の１枚を肩掛けとして利用できるようにする。【選択図】図１
0003153755.tif 000002
【実用新案登録請求の範囲】
【請求項１】
掛け布団を汚れから保護するための掛け布団カバーにおいて、その掛け布団カバーの衿部に長方形の２枚の布地からなる衿カバーを掛け布団カバーの衿部を表裏の両面からくるむように被せ、その２枚からなる衿カバーの一方の端縁を掛け布団カバーの内側でオープンファスナーによって掛け布団カバーに取り付け取外し可能に設けたことを特徴とする衿カバー付き掛け布団カバー
【請求項２】
掛け布団カバーの表側に楕円形の孔を設け、その孔に一致する楕円形の布をその楕円形に沿って開閉する左右各一対のファスナーによって一体とし、その左右各一対のファスナーを開くことにより楕円形の孔が開いて掛け布団取り出し部が形成されるようにしたことを特徴とする請求項１に記載の衿カバー付き掛け布団カバー
【請求項３】
掛け布団カバーの裏側四隅のそれぞれに内掛け毛布などのずれ防止用の結びひもを設け、そのひもを内掛け毛布などに別に設けられた布製の輪などに結び付けることにより内掛け毛布のずれを防止するようにしたことを特徴とする請求項１または請求項２に記載の衿カバー付き掛け布団カバー
【考案の詳細な説明】
【技術分野】
【０００１】
本考案は衿カバー付き掛け布団カバーであり、特に掛け布団の内側に掛けた内掛け毛布などが掛け布団からずれないように工夫した衿カバー付き布団カバーに関するものである。
【背景技術】
【０００２】
従来の掛け布団カバーにおいては、掛け布団と掛け布団カバーとのずれ、いわゆる中ずれを防ぐための手段を備えたものはいろいろと提案されて来ているが、掛け布団の内側に用いる内掛け毛布や内掛け布団などが掛け布団の下でずれてしまうということについて配慮がなされた掛け布団カバーは存在していなかった。        
【０００３】
また、掛け布団カバーは衿の所が他の部分よりも激しく汚れるが、従来の掛け布団カバーは脇にファスナーを付けたものが主流であり、布団カバーを取り外すのに手間がかかるという理由から洗濯するまでの期間が長くなってしまい、その結果、常に衛生的に保っておくことは容易ではなかった。
【先行技術文献】
【特許文献】
【０００４】
【特許文献１】実開昭６１−７９９７４号公報
【考案の概要】
【考案が解決しようとする課題】
【０００５】
上述したような不都合に対して、本考案は掛け布団の内側に用いる内掛け毛布などが掛け布団の下でずれてしまうことがないようにするための手段を備え、かつ、掛け布団カバーに衿カバーを設け、その衿カバーが就寝者の顎や首によって若干汚れてしまった段階で別のものと簡単に取り替えることができるようにした衿カバーを備えた衿カバー付き掛け布団カバーを提供することを目的とする。
【課題を解決するための手段】
【０００６】
本考案は、掛け布団カバーの衿の部分に表裏の両面からくるむように長方形の布地からなる衿カバーを被せ、その衿カバーの取り付け取り外しが簡単にできるように、掛け布団カバーの裏側に設けたオープンファスナーの一方と長方形をした布地の一方の端縁に設けたオープンファスナーの他方とを互いに噛み合わせて結ぶようにする。また、冬場には首の所が温かくできるように布地を２枚にし、上側の１枚を肩掛けとして利用できるようにする。
【０００７】
また、掛け布団カバーの表側の中央部には左右各一対のファスナーを開くことによって楕円形に開けることができる掛け布団取り出し部を設ける。また、掛け布団とその内側に用いる内掛け毛布などとがずれないようにするための手段として掛け布団カバーの裏側の四隅にそれぞれ２本のひもを設けておく。
【考案の効果】
【０００８】
本考案に係る衿カバー付き掛け布団カバーは、衿の部分を表裏の両面からくるむようにした衿カバーをオープンファスナーによって簡単に取り付け取り外しできるようにしたので衿カバーの洗濯がいつでもでき、清潔に保つことができる優れた実用性のある掛け布団カバーとなる。また、衿カバーを別のものと交換することによって掛け布団カバーはそのままの状態で使用できる利点もある。さらに、衿カバーは布地を２枚にして上の１枚を首の方に被せることができるようにしたので冬場には肩当て布として首や肩を温かく保つことができる。
【０００９】
また、掛け布団カバーの表側の中央部には左右２個のファスナーを開くことによって楕円形に開けることができる掛け布団取り出し部を設けたので掛け布団の取り出しが容易になる。また、掛け布団の下に掛けた内掛け毛布などがずれないようにするために掛け布団カバーの裏側の四隅にはそれぞれ２本のひもが設けられているのでそのひもを内掛け毛布などの四隅に別に準備されている布地の輪、或いはボタン孔状の切り孔などに結び付けるか差し込むかによって内掛け毛布の四隅と掛け布団カバーの四隅とを結び付けることができるので、掛け布団に対して内掛け毛布などがずれないようになる。
【図面の簡単な説明】
【００１０】
【図１】掛け布団カバーの衿の部分に２枚の布地からなる衿カバーを取り付けた状態の表側を示す図である。
【図２】掛け布団カバーの裏側で衿カバーの一方の端縁をオープンファスナーで掛け布団カバーに一体に取り付けた状態を示す図である。
【図３】掛け布団カバーの表側の中央部に左右２個のファスナーによって楕円形に開けることができる掛け布団取り出し部を設けた状態を示す図である。
【図４】掛け布団カバーの四隅に設けられた２本のひもと内掛け毛布との関係を示す図である。
【考案を実施するための形態】
【００１１】
図１は掛け布団カバー１の表側を示す図であり、図２は掛け布団カバー１の裏側を示す図である。図１、及び図２において、２枚の長方形の布地からなる衿カバー２は掛け布団カバー１の裏側でオープンファスナー３によって簡単に取り付け取り外しができるようになっている。そして、２枚の布地からなる衿カバー２は掛け布団カバー１の衿部をくるむように表側に被せられる。この場合、２枚の布地の先端２ａ、２ｂ、は掛け布団カバー１に対してフリー状態でも良いが、好ましくは下側になる布地の先端２ａは掛け布団カバー１に対してボタン或いはホックなどで止め、上側になる布地の先端２ｂは下側の布地に対してホックなどで止めておき、上側の布地の方は必要に応じてホックを外すことにより簡単に肩当てとすることができるようにしておくと良い。また、２枚の布地のオープンファスナー３側の端縁はそれぞれ揃えても良いが下側の布地の途中に上側の布地の端縁を縫い付けて途中から２枚となるようにすることでも良い。また、衿カバー２は２枚の長方形の布地を用いることで記述したが、１枚の長めの布地を二つ折りにして折り目の方をオープンファスナー側として用いることでも良い。
【００１２】
次に、図３は掛け布団カバー１の表側に楕円形をした掛け布団取り出し部を設けた状態を示す図であり、掛け布団カバー１には楕円形の孔を設け、その孔に合う楕円形の布８をその楕円形に沿って楕円形の一方の頂点側中心部から開く左右各一対のファスナー４、４、によって一体としたものであり、ファスナー４、４、の他方の頂点側の掛け布団カバー１と楕円形の布８とは縫い付けて止めておくようにする。
【００１３】
図４は本考案に係る内掛け毛布のずれ防止用のひも５と内掛け毛布７との関係を示す図であり、掛け布団カバー１の裏側の四隅に設けられたひも５を内掛け毛布７の四隅に設けてある布地の輪６に通して結ぶようにする。また、内掛け毛布７の四隅には布地の輪に限らず、ボタン孔状に形成したひも通し用切り孔が設けてあるものであっても対応できる。
【符号の説明】
【００１４】
１  掛け布団カバー
２  衿カバー
３  オープンファスナー
４  ファスナー
５  ひも
６  布地の輪
７  内掛け毛布
８  楕円形の布
【図１】
0003153755.tif 000003
【図２】
0003153755.tif 000004
【図３】
0003153755.tif 000005
【図４】
0003153755.tif 000006